【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
第１の画像形成装置とその下流側に第２の画像形成装置とが接続され、シートの両面に画像を形成する場合に、前記第１の画像形成装置で前記シートの第１面へ画像形成し前記第２の画像形成装置で当該シートの第２面に画像を形成する第１のモードと、前記第１の画像形成装置と第２の画像形成装置の何れか一方が前記シートの第１面及び当該シートの第２面の両面に画像を形成する第２のモードとを選択的に実行可能な画像形成システムであって、
前記第１の画像形成装置と前記第２の画像形成装置のうちの一方が画像形成を実行できない状態において前記第１の画像形成装置と前記第２の画像形成装置のうちの他方の画像形成装置を用いて前記第２のモードにより両面画像形成が実行されている途中で、前記一方の画像形成装置が画像形成を実行できる状態に復帰すると、前記第２のモードから前記第１のモードに切り替えて両面画像形成を継続するように前記第１の画像形成装置及び前記第２の画像形成装置を制御する制御手段を有し、
前記制御手段は、前記第２の画像形成装置を用いて前記第２のモードにより両面画像形成を実行中に前記第１の画像形成装置が画像形成を実行できる状態に復帰した時点で前記第２の画像形成装置が第１面への画像形成のために最後に給送した第１のシートの次のシートとなる第２のシート以降を前記第１のモードで画像形成させるとともに、前記第２の画像形成装置による前記第１のシートの第２面への画像形成の後に前記第２のシートが前記第２の画像形成装置へ給送され、且つ前記第２の画像形成装置による前記第１のシートの第２面への画像形成が開始されるよりも前に前記第１の画像形成装置による前記第２シートの第１面への画像形成が開始されるように、前記第１の画像形成装置及び前記第２の画像形成装置を制御することを特徴とする画像形成システム。
【請求項２】
第１の画像形成装置とその下流側に第２の画像形成装置とが接続され、シートの両面に画像を形成する場合に、前記第１の画像形成装置で前記シートの第１面へ画像形成し前記第２の画像形成装置で当該シートの第２面に画像を形成する第１のモードと、前記第１の画像形成装置と第２の画像形成装置の何れか一方が前記シートの第１面及び当該シートの第２面の両面に画像を形成する第２のモードとを選択的に実行可能な画像形成システムであって、
前記第１の画像形成装置と前記第２の画像形成装置のうちの一方が画像形成を実行できない状態において前記第１の画像形成装置と前記第２の画像形成装置のうちの他方の画像形成装置を用いて前記第２のモードにより両面画像形成が実行されている途中で、前記一方の画像形成装置が画像形成を実行できる状態に復帰すると、前記第２のモードから前記第１のモードに切り替えて両面画像形成を継続するように前記第１の画像形成装置及び前記第２の画像形成装置を制御する制御手段を有し、
前記制御手段は、前記第２の画像形成装置を用いて前記第２のモードにより両面画像形成を実行中に前記第１の画像形成装置が画像形成を実行できる状態に復帰する復帰時期を予測し、
前記制御手段は、前記予測された復帰時期の後に前記第１の画像形成装置が前記第１のモードで第１のシートの第１面に画像形成を開始することにより、前記第２の画像形成装置が前記第１のモードで前記第１のシートの第２面に画像形成を開始するまでに、前記第２の画像形成装置が前記予測された復帰時期の前に前記第２のモードで第１面に画像形成したシートのうち第２面への画像形成を終了できない第２のシートが生じてしまう場合、前記第２の画像形成装置が前記第２のシートの第１面への画像形成を行わないように、前記第１の画像形成装置及び前記第２の画像形成装置を制御することを特徴とする画像形成システム。
【請求項３】
前記制御手段は、前記第２の画像形成装置が前記第２のシートの第１面に形成しなくなった画像を、前記予測された復帰時期の後に前記第１の画像形成装置に行わせるように、前記第１の画像形成装置及び前記第２の画像形成装置を制御することを特徴とする請求項２に記載の画像形成システム。
【請求項４】
第１の画像形成装置とその下流側に第２の画像形成装置とが接続され、シートの両面に画像を形成する場合に、前記第１の画像形成装置で前記シートの第１面へ画像形成し前記第２の画像形成装置で当該シートの第２面に画像を形成する第１のモードと、前記第１の画像形成装置と第２の画像形成装置の何れか一方が前記シートの第１面及び当該シートの第２面の両面に画像を形成する第２のモードとを選択的に実行可能な画像形成システムであって、
前記第１の画像形成装置と前記第２の画像形成装置のうちの一方が画像形成を実行できない状態において前記第１の画像形成装置と前記第２の画像形成装置のうちの他方の画像形成装置を用いて前記第２のモードにより両面画像形成が実行されている途中で、前記一方の画像形成装置が画像形成を実行できる状態に復帰すると、前記第２のモードから前記第１のモードに切り替えて両面画像形成を継続するように前記第１の画像形成装置及び前記第２の画像形成装置を制御する制御手段を有し、
前記制御手段は、前記第２の画像形成装置を用いて前記第２のモードにより両面画像形成を実行中に前記第１の画像形成装置が画像形成を実行できる状態に復帰する復帰時期を予測し、
前記制御手段は、前記予測された復帰時期の前に前記第２の画像形成装置が前記第２のモードで最後に第１のシートの第１面に画像形成し、且つ前記予測された復帰時期の後に前記第１の画像形成装置が前記第１のモードで前記第１のシートの次のシートとなる第２のシートの第１面に画像形成することにより、前記第２の画像形成装置での前記第２のシートの第２面への画像形成が前記第２の画像形成装置での前記第１のシートの第２面への画像形成よりも先になってしまう場合、前記第２の画像形成装置が前記第１のシートの第１面に形成する予定だった第１の画像に代えて前記第１の画像形成装置が前記第２のシートの第１面に形成する予定だった第２の画像を前記予測された復帰時期の前に前記第２の画像形成装置に形成させ、前記第１の画像形成装置が前記第２のシートの第１面に形成する予定だった前記第２の画像に代えて前記第２の画像形成装置が前記第１のシートの第１面に形成する予定だった前記第１の画像を前記予測された復帰時期の後に前記第１の画像形成装置に形成させるように、前記第１の画像形成装置及び前記第２の画像形成装置を制御することを特徴とする画像形成システム。
【請求項５】
前記画像形成を実行できない状態は、画像形成のために給送されるシートが少ないと判定される状態、画像形成に使用するトナーがないと判定される状態、感光体に残留したトナーが回収される容器が満杯と判定される状態の何れかを含むことを特徴とする請求項１乃至４のいずれか一項に記載の画像形成システム。
【請求項６】
前記画像形成を実行できない状態と判定する条件を受け付ける受付手段を更に有することを特徴とする請求項１乃至４のいずれか一項に記載の画像形成システム。
【手続補正２】
【補正対象書類名】明細書
【補正対象項目名】発明の名称
【補正方法】変更
【補正の内容】
【発明の名称】画像形成システム
【手続補正３】
【補正対象書類名】明細書
【補正対象項目名】００１０
【補正方法】変更
【補正の内容】
【００１０】
上記課題を解決するために、本願発明の画像形成システムは例えば以下の構成を有する。すなわち、第１の画像形成装置とその下流側に第２の画像形成装置とが接続され、シートの両面に画像を形成する場合に、前記第１の画像形成装置で前記シートの第１面へ画像形成し前記第２の画像形成装置で当該シートの第２面に画像を形成する第１のモードと、前記第１の画像形成装置と第２の画像形成装置の何れか一方が前記シートの第１面及び当該シートの第２面の両面に画像を形成する第２のモードとを選択的に実行可能な画像形成システムであって、前記第１の画像形成装置と前記第２の画像形成装置のうちの一方が画像形成を実行できない状態において前記第１の画像形成装置と前記第２の画像形成装置のうちの他方の画像形成装置を用いて前記第２のモードにより両面画像形成が実行されている途中で、前記一方の画像形成装置が画像形成を実行できる状態に復帰すると、前記第２のモードから前記第１のモードに切り替えて両面画像形成を継続するように前記第１の画像形成装置及び前記第２の画像形成装置を制御する制御手段を有し、前記制御手段は、前記第２の画像形成装置を用いて前記第２のモードにより両面画像形成を実行中に前記第１の画像形成装置が画像形成を実行できる状態に復帰した時点で前記第２の画像形成装置が第１面への画像形成のために最後に給送した第１のシートの次のシートとなる第２のシート以降を前記第１のモードで画像形成させるとともに、前記第２の画像形成装置による前記第１のシートの第２面への画像形成の後に前記第２のシートが前記第２の画像形成装置へ給送され、且つ前記第２の画像形成装置による前記第１のシートの第２面への画像形成が開始されるよりも前に前記第１の画像形成装置による前記第２シートの第１面への画像形成が開始されるように、前記第１の画像形成装置及び前記第２の画像形成装置を制御する。